(57)【特許請求の範囲】
【請求項１】
発光素子を含む第１の表示部と、
液晶素子を含む第２の表示部と、
前記第１の表示部と前記第２の表示部の間に設けられたＭＥＭＳシャッターと、
を有し、
前記ＭＥＭＳシャッターは、
開口部を有する遮光層と、
前記開口部を遮光することができる機能を有する可動遮光層と、
を有し、
前記発光素子は、透光性を有する第１の導電膜と、透光性を有する第２の導電膜と、前記第１の導電膜と前記第２の導電膜の間の発光層と、を有し、
前記液晶素子は、透光性を有する第３の導電膜と、透光性を有する第４の導電膜と、前記第３の導電膜と前記第４の導電膜の間の液晶層と、を有し、
前記液晶素子は、前記開口部を介して、前記発光素子と重なる領域を有することを特徴とする表示装置。
【請求項２】
請求項１において、
前記開口部に前記可動遮光層を重ならせず、前記第１の表示部を前記第２の表示部のバックライトとして用いることにより、前記第２の表示部をカラー表示させることができることを特徴とする表示装置。
【請求項３】
請求項１において、
前記第２の表示部は、白表示を行う表示モードと、シースルー表示を行う表示モードと、を有することを特徴とする表示装置。
【請求項４】
請求項１乃至３のいずれか一項において、
前記第２の表示部は、光を散乱させる第１の状態と、光を透過させる第２の状態と、を切り替えることができる機能を有することを特徴とする表示装置。
【発明の詳細な説明】
【技術分野】
【０００１】
発光素子を利用した表示装置に関する。特にシースルー機能を備え、発光素子を利用した表示装置に関する。
【背景技術】
【０００２】
近年、ディスプレイの向こう側が透けて見える機能、いわゆるシースルー機能を備えたディスプレイが脚光を浴びている。シースルー機能を備えたディスプレイの応用分野としては、車両のフロントガラス、家屋やビルなどの建築物の窓ガラス、デパートなどのショーウインドウのケースなどが考えられている。
【０００３】
このようにシースルー機能を備えたディスプレイを用いることにより、ディスプレイの向こう側の対象に関する情報をディスプレイ上に表示しながら対象を見る、またはディスプレイに装飾用の映像を表示してディスプレイの向こう側の対象に装飾を施すことができる。さらに、ガラスのようにディスプレイの向こう側が見えるモードと、ディスプレイに映像が表示されるモードを適宜切り替えて用いることも考えられる（例えば特許文献１参照）。
【先行技術文献】
【特許文献】
【０００４】
【特許文献１】特開平１０−２５９７５号公報
【発明の概要】
【発明が解決しようとする課題】
【０００５】
しかし、一方でシースルー機能を有する表示装置には、ディスプレイの向こう側からディスプレイの映像を覗かれてしまうという問題や、ディスプレイの向こう側の景色が映像に写り込んでディスプレイの映像が見にくくなってしまうという問題があった。
【０００６】
特許文献１では、くし歯形電極により液晶分子を攪乱状態とする調光板をディスプレイの裏側に設け、ディスプレイに映像を表示する際に調光板を白濁状態にすることで、このような問題の解決を図っている。
【０００７】
しかし、このようにシースルー機能を有する表示装置の裏側に、くし歯形電極により液晶分子を攪乱状態とする調光板を設けただけでは、有機ＥＬ素子に代表される発光素子を用いてシースルー機能を有する表示装置を作製すると、コントラストの良好な黒色を表示することが困難になるという問題が生じる。
【０００８】
また、シースルー機能を有する表示装置において、ガラスのようにディスプレイを透過させられるモードや、従来のディスプレイのように映像表示のみを行うモードや、映像の向こう側が透けて見えるシースルーモードを、用途や状況に応じて適宜切り替えられるようにしたいという要請もある。
【０００９】
上述のような問題に鑑み、発光素子を有し、且つシースルー機能を有する表示装置において、用途や状況に応じた多様な表示モードを可能とする表示装置を提供することを課題の一とする。
【課題を解決するための手段】
【００１０】
シースルー機能を有する表示装置において、両面発光型の発光素子を含む画素を有する第１の表示部と、光散乱性の液晶層を有する第２表示部との間に、シャッター状の遮光手段を有し、第１の表示部は、少なくとも両面発光型の発光素子が非発光状態の場合に透光性を有し、第２の表示部は、少なくとも光散乱性の液晶層が透過状態の場合に透光性を有する。
【００１１】
開示する発明の一態様は、透光性を有する第１の支持体と、第１の支持体に設けられた、両面発光型の発光素子を含む画素を有する第１の表示部と、第１の支持体に対向して設けられた、透光性を有する第２の支持体と、第２の支持体に第１の表示部と対向して設けられた、光散乱性の液晶層を有する第２の表示部と、第１の表示部と第２の表示部の間に、画素の少なくとも一部と重畳するように開口部が設けられた遮光層と当該開口部を遮光することができる可動遮光層を含む複数のシャッターと、を有し、第１の表示部は、少なくとも両面発光型の発光素子が非発光状態の場合に透光性を有し、第２の表示部は、少なくとも光散乱性の液晶層が透過状態の場合に透光性を有する表示装置である。
【００１２】
開示する発明の他の一態様は、透光性を有する第１の支持体と、第１の支持体に設けられた、両面発光型の発光素子を含む画素を有する第１の表示部と、第１の支持体に対向して設けられた、透光性を有する第２の支持体と、第２の支持体の第１の表示部とは反対側に設けられた、光散乱性の液晶層を有する第２の表示部と、第１の表示部と第２の支持体の間に、画素の少なくとも一部と重畳するように開口部が設けられた遮光層と当該開口部を遮光することができる可動遮光層を含む複数のシャッターと、を有し、第１の表示部は、少なくとも両面発光型の発光素子が非発光状態の場合に透光性を有し、第２の表示部は、少なくとも光散乱性の液晶層が透過状態の場合に透光性を有する表示装置である。
【００１３】
上記において、開口部に可動遮光層を重畳させることにより、第１の表示部の背景を黒表示とすることができることが好ましい。また、開口部に可動遮光層を重畳させず、且つ第２の表示部を散乱状態とすることにより、第１の表示部の背景を白表示とすることができることが好ましい。また、開口部に可動遮光層を重畳させず、且つ第２の表示部を透過状態とすることで、第２の支持体の裏側からの入射光を第１の表示部の背景に照射させることにより、第２の支持体の向こう側の対象に関する情報を第１の表示部の背景に表示させられることが好ましい。
【００１４】
また、複数の画素に一つずつ可動遮光層が設けられることが好ましい。また、複数の画素および複数のシャッターがマトリクス状に設けられ、一つの可動遮光層で列方向に並んだ複数の画素を遮光することができるようにしてもよい。また、複数の画素および複数のシャッターがマトリクス状に設けられ、一つの可動遮光層で行方向に並んだ複数の画素を遮光することができるようにしてもよい。
【００１５】
また、開示する発明の他の一態様は、透光性を有する第１の支持体と、第１の支持体に設けられた、両面発光型の発光素子を含む第１の画素を有する第１の表示部と、第１の支持体に対向して設けられた、透光性を有する第２の支持体と、第２の支持体に第１の表示部と対向して設けられた、光散乱性の液晶層を含む第２の画素を有する第２の表示部と、第１の表示部と第２の表示部の間に、第１の画素および第２の画素の少なくとも一部と重畳するように開口部が設けられた遮光層と当該開口部を遮光することができる可動遮光層を含む複数のシャッターと、を有し、第１の表示部は、少なくとも両面発光型の発光素子が非発光状態の場合に透光性を有し、第２の表示部は、少なくとも光散乱性の液晶層が透過状態の場合に透光性を有する表示装置である。
【００１６】
また、複数の第１の画素および複数の第２の画素に一つずつ可動遮光層が設けられることが好ましい。また、複数の第１の画素、複数の第２の画素および複数のシャッターがマトリクス状に設けられ、一つの可動遮光層で列方向に並んだ複数の第１の画素および複数の第２の画素を遮光することができるようにしてもよい。また、複数の第１の画素、複数の第２の画素および複数のシャッターがマトリクス状に設けられ、一つの可動遮光層で行方向に並んだ複数の第１の画素および複数の第２の画素を遮光することができるようにしてもよい。
【００１７】
上記において、開口部に可動遮光層を重畳させることにより、第１の表示部と第２の表示部で異なる映像を表示することができることが好ましい。また、開口部に可動遮光層を重畳させず、第１の表示部を第２の表示部のバックライトとして用いることにより、第２の表示部をカラー表示させることができることが好ましい。
【００１８】
また、両面発光型の発光素子は有機ＥＬ素子であることが好ましい。また、光散乱性の液晶層は高分子分散型液晶材料を含むことが好ましい。また、複数のシャッターはＭＥＭＳを用いて形成されていることが好ましい。
【発明の効果】
【００１９】
シースルー機能を有する表示装置において、両面発光型の発光素子を含む画素を有する第１の表示部と、光散乱性の液晶層を有する第２表示部との間に、シャッター状の遮光手段を設けることにより、第１の表示部、第２の表示部およびシャッター状の遮光手段を切り替えるだけで容易に用途や状況に応じた多様な表示モードを可能とする表示装置を提供することができる。
【図面の簡単な説明】
【００２０】
【図１】本発明の一態様に係る表示装置を説明する斜投影図。
【図２】本発明の一態様に係る表示装置を説明する断面図。
【図３】本発明の一態様に係る表示装置におけるＭＥＭＳ構造体部を説明する平面図。
【図４】本発明の一態様に係る表示装置を説明する断面図。
【図５】本発明の一態様に係る表示装置を説明する断面図。
【図６】本発明の一態様に係る表示装置におけるシャッターを説明する斜視図。
【図７】本発明の一態様に係る表示装置における第１の表示部を説明する断面図および平面図。
【図８】本発明の一態様に係る表示装置における第１の表示部を説明する断面図および平面図。
【図９】本発明の一態様に係る表示装置における第２の表示部を説明する断面図および平面図。
【図１０】本発明の一態様に係る表示装置における第２の表示部を説明する断面図および平面図。
【図１１】本発明の一態様に係る表示装置の応用例を示す図。
【発明を実施するための形態】
【００２１】
本発明の実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する本発明の構成において、同一部分または同様な機能を有する部分には同一の符号を異なる図面間で共通して用い、その繰り返しの説明は省略する。
【００２２】
なお、本明細書で説明する各図において、各構成の大きさ、層の厚さ、または領域は、明瞭化のために誇張されている場合がある。よって、必ずしもそのスケールに限定されない。
【００２３】
また、本明細書にて用いる第１、第２、第３などの用語は、構成要素の混同を避けるために付したものであり、数的に限定するものではない。そのため、例えば、「第１の」を「第２の」または「第３の」などと適宜置き換えて説明することができる。
【００２４】
（実施の形態１）
本実施の形態では、開示する発明の一態様に係る、シースルー機能を有する表示装置について図１乃至図３を用いて説明する。
【００２５】
図１は、開示する発明の一態様に係る、シースルー機能を有する表示装置の構成を模式的に示した斜投影図である。図１に示される表示装置は、両面発光型の発光素子を含む画素を有する第１の表示部１４と、光散乱性の液晶層を有する第２の表示部１８と、第１の表示部１４と第２の表示部１８の間にシャッター状の遮光手段１０を有する。第１の表示部１４は、少なくとも両面発光型の発光素子が非発光状態の場合に透光性を有し、第２の表示部１８は、少なくとも光散乱性の液晶層が透過状態の場合に透光性を有する。
【００２６】
第１の表示部１４は、両面発光型の発光素子を用いたシースルー機能を持つ発光表示装置として機能し、各画素において発光状態と非発光状態を切り替えることができる。
【００２７】
第２の表示部１８は、光散乱性の液晶層を用いた液晶表示装置として機能し、不透明な散乱状態と透光性を有する透過状態とを切り替えることができる。
【００２８】
シャッター状の遮光手段１０は、第１の表示部１４側から第２の表示部１８側に向かう光および第２の表示部１８側から第１の表示部１４側に向かう光について遮光状態と透過状態を切り替えることができる。なお、遮光手段１０は上記遮光状態と透過状態を切り替えることができる機構を有すればよく、例えば、開口部を有する遮光層と当該開口部を遮光することができる可動遮光層からなるシャッターなどを用いることができる。
【００２９】
以上のようにシースルー機能を有する表示装置において、両面発光型の発光素子を含む画素を有する第１の表示部と、光散乱性の液晶層を有する第２表示部との間に、シャッター状の遮光手段を設けることにより、第１の表示部、第２の表示部およびシャッター状の遮光手段を切り替えるだけで容易に用途や状況に応じた多様な表示モードを可能とする表示装置を提供することができる。
【００３０】
なお、第１の表示部１４、第２の表示部１８および遮光手段１０の具体的な構成については、図２および図３の説明において後述する。なお、図１に示す第１の表示部１４はアクティブマトリクス型の発光表示装置のように描かれているが、第１の表示部１４はこれに限られるものではない。また、図１に示すシャッター状の遮光手段１０は第１の表示部１４の画素に対応して遮光手段が設けられるように描かれているが、シャッター状の遮光手段１０はこれに限られるものではない。
【００３１】
以下に図１で示した、シースルー機能を有する表示装置の構成例および表示モードについて図２および図３を用いて説明する。
【００３２】
図２（Ａ）乃至図２（Ｃ）は、それぞれ開示する発明の一態様に係る、シースルー機能を有する表示装置の断面図であり、第１の表示部１０４側から視認できる表示モードを示している。図２（Ａ）は第１の表示部１０４の背景が黒表示の表示モードを、図２（Ｂ）は第１の表示部１０４の背景が白表示の表示モードを、図２（Ｃ）は第１の表示部１０４の背景がシースルー表示の表示モードを示している。
【００３３】
まず、図２（Ａ）乃至図２（Ｃ）に示される表示装置の構成について説明する。図２（Ａ）乃至図２（Ｃ）に示される表示装置は、透光性を有する第１の支持体１００と、第１の支持体１００に設けられた両面発光型の発光素子を有する第１の表示部１０４と、第１の支持体１００に対向して設けられた透光性を有する第２の支持体１０２と、第２の支持体１０２に第１の表示部１０４と対向して設けられた、光散乱性の液晶層を有する第２の表示部１０８と、第１の表示部１０４と第２の表示部１０８の間に設けられた、遮光層１１０ａと可動遮光層１１０ｂとを含むシャッター１１０とを有する。第１の表示部１０４は少なくとも両面発光型の発光素子が非発光状態の場合に透光性を有し、第２の表示部１０８は少なくとも光散乱性の液晶層が透過状態の場合に透光性を有する。第１の支持体１００と第２の支持体１０２の間はシール材１１２によって封止される。
【００３４】
ここで、第１の表示部１０４が図１に示す第１の表示部１４に対応し、シャッター１１０が図１に示す遮光手段１０に対応し、第２の表示部１０８が図１に示す第２の表示部１８に対応する。
【００３５】
第１の支持体１００および第２の支持体１０２としては透光性を有する基板を用いることができる。例えば、ガラス基板、セラミックス基板などを用いることができる。また、第１の支持体１００および第２の支持体１０２として、プラスチック基板などの、透光性と可撓性を有する基板を用いることができる。プラスチック基板としては、ＦＲＰ（Ｆｉｂｅｒｇｌａｓｓ−Ｒｅｉｎｆｏｒｃｅｄ  Ｐｌａｓｔｉｃｓ）板、ＰＶＦ（ポリビニルフルオライド）フィルム、ポリエステルフィルムまたはアクリル樹脂フィルムを用いることができる。また、アルミニウムホイルをＰＶＦフィルムやポリエステルフィルムで挟んだ構造のシートを用いることもできる。
【００３６】
図１に示す第１の表示部１４に対応する第１の表示部１０４は、複数の画素を有し、各画素には少なくとも一つ以上の両面発光型の発光素子が形成されている。発光素子としてはエレクトロルミネッセンスを利用するものが適用でき、発光材料により有機ＥＬ（Ｅｌｅｃｔｒｏ  Ｌｕｍｉｎｅｓｃｅｎｃｅ）素子と無機ＥＬ素子に区別される。なお、本明細書等において、両面発光とは、発光素子の発光を当該発光素子の陽極と陰極の両方の側から取り出すことができる発光形式のことを示す。
【００３７】
有機ＥＬ素子は、発光素子に電圧を印加することにより、一対の電極から電子および正孔がそれぞれ発光性の有機化合物を含む層に注入され、電流が流れる。そして、それらキャリア（電子および正孔）が再結合することにより、発光性の有機化合物が励起状態を形成し、その励起状態が基底状態に戻る際に発光する。このようなメカニズムから、このような発光素子は、電流励起型の発光素子と呼ばれる。
【００３８】
一方、無機ＥＬ素子は、その素子構成により、分散型無機ＥＬ素子と薄膜型無機ＥＬ素子とに分類される。分散型無機ＥＬ素子は、発光材料の粒子をバインダ中に分散させた発光層を有するものであり、発光メカニズムはドナー準位とアクセプター準位を利用するドナー−アクセプター再結合型発光である。薄膜型無機ＥＬ素子は、発光層を誘電体層で挟み込み、さらにそれを電極で挟んだ構造であり、発光メカニズムは金属イオンの内殻電子遷移を利用する局在型発光である。
【００３９】
本実施の形態では、発光素子として有機ＥＬ素子を用いて説明する。有機ＥＬ素子は陰極と陽極の間に電界発光層を積層させて形成される。ここで陰極と陽極の間に設けられる電界発光層の厚さは１０ｎｍ乃至１０００ｎｍとし、好ましくは１００ｎｍ乃至４００ｎｍとする。また、電界発光層は単数の層で構成されていても、複数の層が積層されるように構成されていてもどちらでも良い。電界発光層が複数の層で構成される場合、例えば、陰極、電子注入層、電子輸送層、発光層、ホール輸送層、ホール注入層、陽極の順に積層する。なおこれらの層を全て設ける必要はない。
【００４０】
陰極および陽極に用いる導電膜としては透光性を有する導電材料が好ましく、酸化亜鉛、酸化タングステンを含むインジウム酸化物、酸化タングステンを含むインジウム亜鉛酸化物、酸化チタンを含むインジウム酸化物、酸化チタンを含むインジウム錫酸化物、インジウム錫酸化物（以下、ＩＴＯと示す。）、インジウム亜鉛酸化物、酸化ケイ素を添加したインジウム錫酸化物などの導電性酸化物を用いることができる。また、透光性を有する導電膜として光が透過する程度の膜厚（好ましくは、５ｎｍ〜３０ｎｍ程度）の金属膜を用いることができる。特に陰極に用いる導電材料は仕事関数が小さい材料が好ましいので、例えば、Ｃａ、Ａｌ、ＣａＦ、ＭｇＡｇ、ＡｌＬｉ等を上記の膜厚で用いることが好ましい。また、これらの金属膜を上記の導電性酸化物に積層させて用いても良い。また、第１の表示部１０４は、少なくとも非発光状態の場合に透光性を有するように、発光素子以外の構成についても透光性を有するようにする。
【００４１】
また、有機ＥＬ素子に酸素、水素、水分、二酸化炭素等が侵入しないように、有機ＥＬ素子の上に保護膜を形成してもよい。保護膜としては、窒化シリコン膜、窒化酸化シリコン膜、ＤＬＣ（Ｄｉａｍｏｎｄ−Ｌｉｋｅ  Ｃａｒｂｏｎ）膜等を形成することができる。
【００４２】
また、第１の表示部１０４は、パッシブマトリクス型としてもよいし、ＴＦＴなどのトランジスタによって発光素子の駆動が制御されるアクティブマトリクス型としてもよい。いずれの場合においても、各画素に電気的に接続される配線を格子状に設ける必要がある。開口率の向上を図る点において、第１の表示部の配線として用いる導電膜としては透光性を有する導電材料が好ましく、上述の陰極および陽極に用いる透光性を有する導電材料を用いることができる。ただし、配線の導電性向上を図りたい場合には、アルミニウム、クロム、銅、タンタル、チタン、モリブデン、タングステン、マンガン、ジルコニウムから選ばれた金属元素、または上述した金属元素を成分とする合金か、上述した金属元素を組み合わせた合金などを用いることもできる。
【００４３】
また、第１の表示部１０４をアクティブマトリクス型とする場合、トランジスタも透光性を有する材料で形成するのが好ましい。トランジスタに用いる透光性を有する半導体膜としては、酸化物半導体膜を用いるのが好ましい。当該酸化物半導体膜としては、四元系金属酸化物であるＩｎ−Ｓｎ−Ｇａ−Ｚｎ系金属酸化物や、三元系金属酸化物であるＩｎ−Ｇａ−Ｚｎ系金属酸化物、Ｉｎ−Ｓｎ−Ｚｎ系金属酸化物、Ｉｎ−Ａｌ−Ｚｎ系金属酸化物、Ｓｎ−Ｇａ−Ｚｎ系金属酸化物、Ａｌ−Ｇａ−Ｚｎ系金属酸化物、Ｓｎ−Ａｌ−Ｚｎ系金属酸化物や、二元系金属酸化物であるＩｎ−Ｚｎ系金属酸化物、Ｓｎ−Ｚｎ系金属酸化物などが用いられる。
【００４４】
なお、トランジスタの活性層に用いる上述の酸化物半導体膜は、熱処理によって、水素、水分、水酸基または水素化物（水素化合物ともいう）などの不純物を酸化物半導体より排除し、かつ不純物の排除工程によって同時に減少してしまう酸化物半導体を構成する主成分材料である酸素を供給することによって、酸化物半導体膜を高純度化および電気的にｉ型（真性）化されたものとすることが好ましい。このように高純度化された酸化物半導体膜を含むトランジスタは、電気的特性変動が抑制されており、電気的に安定である。
【００４５】
なお、第１の表示部１０４の構造例の詳細については後の実施の形態に記載する。
【００４６】
図１に示す第２の表示部１８に対応する第２の表示部１０８は、液晶粒による光の散乱光を利用して白表示（明表示）を行う光散乱性の液晶層を有する。光散乱性の液晶としては、例えば、高分子分散型液晶（ＰＤＬＣ（Ｐｏｌｙｍｅｒ  Ｄｉｓｐｅｒｓｅｄ  Ｌｉｑｕｉｄ  Ｃｒｙｓｔａｌ）、高分子分散液晶、ポリマー分散型液晶ともいう）又は高分子ネットワーク型液晶（ＰＮＬＣ（Ｐｏｌｙｍｅｒ  Ｎｅｔｗｏｒｋ  Ｌｉｑｕｉｄ  Ｃｒｙｓｔａｌ））が挙げられる。これらを用いた液晶層は高分子ネットワークを形成する高分子層中に液晶粒が分散された構成となっている。
【００４７】
また、上記の光散乱性の液晶は、あらかじめ液晶を配向させず、かつ入射した光に偏光を行わないため、配向膜及び偏光板を設けなくてもよい。従って、上記の光散乱性の液晶を用いた第２の表示部１０８は、配向膜及び偏光板を設ける必要がないため、配向膜及び偏光板による光の吸収がなく、より高輝度な明るい表示画面とすることができる。よって、第２の表示部１０８の光の利用効率が良好となるので、低消費電力化を図ることができる。
【００４８】
第２の表示部１０８において、光散乱性の液晶層は透光性を有する導電膜によって挟持されるように設けられ、液晶素子を形成する。ここで、透光性を有する導電膜としては、第１の表示部１０４の有機ＥＬ素子の陰極および陽極に用いた導電膜と同様のものを用いることができる。また、第２の表示部１０８は、少なくとも光散乱性の液晶層が透過状態の場合に透光性を有するように、液晶素子以外の構成についても透光性を有するようにする。
【００４９】
上記の光散乱性の液晶層において、上面および下面に設けられた導電膜に電圧を印加しない場合（オフ状態ともいう）は、高分子層内に分散している液晶粒はランダムに配列し高分子の屈折率と液晶分子の屈折率とが異なるため、入射した光は液晶粒によって散乱され、液晶層は不透明な白濁した状態となる。よって視認側から確認できる表示も白表示となる。
【００５０】
一方、上面および下面に設けられた導電膜に電圧を印加した場合（オン状態ともいう）、光散乱性の液晶層に電界が形成され、液晶粒内の液晶分子は電界方向に配列し高分子の屈折率と液晶分子短軸の屈折率とがほぼ一致するため、入射した光は液晶粒で散乱されず、液晶層を透過する。よって、液晶層は透光性となり透明な状態となる。液晶層が透光性な状態となった場合は、視認側から確認できる表示は、液晶層の前後に設けられる材料に依存する。
【００５１】
なお、本実施の形態では第２の表示部１０８が、光散乱性を有する液晶層と、当該液晶層の上面および下面に設けられる透光性を有する導電膜と、を有し、当該導電膜は第２の支持体１０２の基板面に対して一様に形成される構成とした。つまり、第２の表示部１０８に画素を設けない構成としたが、本実施の形態はこれに限られるものではない。第２の表示部１０８の液晶層の上面および下面に設けられる透光性を有する導電膜を行方向および列方向に分割して画素電極として、第２の表示部１０８に複数の画素を設ける構成としても良い。
【００５２】
なお、第２の表示部１０８の構造例の詳細については後の実施の形態に記載する。
【００５３】
第１の表示部１０４と第２の表示部１０８との間には、開閉可能なシャッター状の遮光手段を設ける。図２（Ａ）乃至図２（Ｃ）に示す表示装置においては、遮光層１１０ａと可動遮光層１１０ｂとを含むシャッター１１０が、図１に示すシャッター状の遮光手段１０にあたる。
【００５４】
シャッター１１０はＭＥＭＳ（Ｍｉｃｒｏ  Ｅｌｅｃｔｒｏ  Ｍｅｃｈａｎｉｃａｌ  Ｓｙｓｔｅｍｓ）を用いて形成することが好ましい。図２（Ａ）乃至図２（Ｃ）に示す表示装置においては、第１の表示部１０４と第２の表示部１０８との間にＭＥＭＳ構造体部１０６ａとＭＥＭＳ駆動素子部１０６ｂとを設ける。ＭＥＭＳ構造体部１０６ａは、３次元的な立体構造を有し、且つ一部が可動する微小構造体であるシャッター１１０を複数有する。シャッター１１０は開口部１１０ｃが設けられた遮光層１１０ａと、開口部１１０ｃを遮光することができる可動遮光層１１０ｂとを有する。ここで、開口部１１０ｃの少なくとも一部は、第１の表示部１０４に設けられた画素と重畳するように設けられる。
【００５５】
シャッター１１０は、可動遮光層１１０ｂを開口部１１０ｃと重畳させることで開口部１１０ｃを通過しようとする光を遮光し、可動遮光層１１０ｂを開口部１１０ｃと重畳させないように移動させることで開口部１１０ｃに光を通過させる。図３に示す平面図にマトリクス状に設けられたシャッター１１０の例を示す。
【００５６】
図３（Ａ−１）および図３（Ａ−２）に示すシャッター１１０は、遮光層１１０ａの各開口部１１０ｃに一つずつ行方向にスライドできる可動遮光層１１０ｂが設けられている。開口部１１０ｃが第１の表示部１０４の画素に対応して設けられている場合、各画素に一つずつ可動遮光層１１０ｂが設けられることになる。
【００５７】
図３（Ａ−１）はシャッター１１０が閉まっている状態を示し、図３（Ａ−２）は一部のシャッター１１０が開き、残りのシャッター１１０が閉まっている状態を示す。図３（Ａ−１）および図３（Ａ−２）のように各開口部１１０ｃに可動遮光層１１０ｂを設けることにより、開口部１１０ｃごとにシャッター１１０の開閉を設定することができ、開口部１１０ｃを第１の表示部１０４の画素に対応して設けている場合、画素ごとにシャッター１１０の開閉を設定することができる。なお、図３（Ａ−２）では、一部のシャッター１１０を開くようにしたが、もちろん全てのシャッター１１０を開いてもよい。
【００５８】
また、図３（Ａ−１）および図３（Ａ−２）では、可動遮光層１１０ｂおよび開口部１１０ｃの形状を矩形状としたがこれに限られることなく、円形、楕円形、多角形等にしてもよい。
【００５９】
また、可動遮光層１１０ｂおよび開口部１１０ｃをスリット状に形成しても良い。図３（Ａ−１）および図３（Ａ−２）に示すシャッター１１０の可動遮光層１１０ｂおよび開口部１１０ｃをスリット状にしたものを図３（Ｂ−１）および図３（Ｂ−２）に示す。ここで、可動遮光層１１０ｂの可動領域は開口部１１０ｃにおける可動遮光層１１０ｂのスライド方向（行方向）の幅に応じて設定される。よって、図３（Ｂ−１）および図３（Ｂ−２）に示すように、開口部１１０ｃの行方向の幅を狭くすることにより、可動遮光層１１０ｂの可動領域を狭く設定することができる。これにより、シャッター１１０一つあたりの占有面積を狭くすることができるので、ＭＥＭＳ構造体部１０６ａの高開口率化を図ることができる。また、これにより、シャッター１１０の開閉に必要な消費電力も低減することができる。さらに、開口部１１０ｃを第１の表示部１０４の画素に対応して設ける場合、当該画素をより集積して設けることができる。
【００６０】
また、一つの可動遮光層１１０ｂで、可動遮光層１１０ｂのスライド方向に垂直な方向（列方向）に並んだ複数の開口部１１０ｃを遮光できるようにしてもよい。図３（Ａ−１）および図３（Ａ−２）に示すシャッター１１０の可動遮光層１１０ｂを列方向に伸長したものを図３（Ｃ−１）および図３（Ｃ−２）に示す。
【００６１】
また、一つの可動遮光層１１０ｂで、可動遮光層１１０ｂのスライド方向（行方向）に並んだ複数の開口部１１０ｃを遮光できるようにしてもよい。図３（Ａ−１）および図３（Ａ−２）に示すシャッター１１０の可動遮光層１１０ｂを行方向に伸長したものを図３（Ｄ−１）および図３（Ｄ−２）に示す。
【００６２】
なお、図３に示す可動遮光層１１０ｂおよび開口部１１０ｃの形状などは互いに適宜組み合わせて用いることができる。
【００６３】
遮光層１１０ａまたは可動遮光層１１０ｂとしては遮光性を有する材料を用いる。例えば、クロム、モリブデン、ニッケル、チタン、銅、タングステン、タンタル、ネオジム、アルミニウム、シリコンなどの金属、合金または酸化物などを用いることができる。
【００６４】
また、ＭＥＭＳ構造体部１０６ａおよびシャッター１１０には、遮光層１１０ａおよび可動遮光層１１０ｂの他に可動遮光層１１０ｂを基板平面に平行にスライドさせるためのアクチュエータや、可動遮光層１１０ｂを支持する構造体などが含まれる。なお、シャッター１１０の構造例の詳細については後の実施の形態に記載する。
【００６５】
また、アクチュエータを介して可動遮光層１１０ｂを駆動させるトランジスタがＭＥＭＳ駆動素子部１０６ｂに形成される。ＭＥＭＳ駆動素子部１０６ｂに用いるトランジスタは透光性を有する材料で形成されることが好ましく、第１の表示部１０４で用いたトランジスタと同様のものを用いることができる。また、ＭＥＭＳ駆動素子部１０６ｂの配線として用いる導電膜としては透光性を有する導電材料が好ましく、第１の表示部１０４で用いた配線と同様のものを用いることができる。
【００６６】
なお、図２（Ａ）乃至図２（Ｃ）において、ＭＥＭＳ構造体部１０６ａとＭＥＭＳ駆動素子部１０６ｂを明確に分けているが、本実施の形態に示す表示装置は必ずしもこれに限定されない。例えば、遮光層１１０ａと可動遮光層１１０ｂの間に可動遮光層１１０ｂを駆動するためのトランジスタおよび当該トランジスタを駆動するための配線を設けるような構成としても良い。
【００６７】
また、シール材１１２としては、代表的には可視光硬化性、紫外線硬化性または熱硬化性の樹脂を用いるのが好ましい。代表的には、アクリル樹脂、エポキシ樹脂、アミン樹脂などを用いることができる。また、光（代表的には紫外線）重合開始剤、熱硬化剤、フィラー、カップリング剤を含んでもよい。
【００６８】
また、第１の支持体１００、第２の支持体１０２、およびシール材１１２によって封止された空間には充填材が封入されている。充填材としては窒素やアルゴンなどの不活性な気体を用いることができる。このように充填材を封入することにより、酸素、水素、水分、二酸化炭素等が侵入し、有機ＥＬ素子やシャッター１１０などが劣化するのを防ぐことができる。
【００６９】
また、第１の支持体１００、第２の支持体１０２、およびシール材１１２によって封止された空間に柱状または球状のスペーサを設けて当該空間の高さを制御しても良い。ただし、柱状または球状のスペーサがシャッター１１０の可動遮光層１１０ｂに干渉しないようにする必要がある。
【００７０】
次に図２（Ａ）乃至図２（Ｃ）に示す第１の表示部１０４側から視認できる表示モードについて説明する。
【００７１】
図２（Ａ）に示す第１の表示部１０４側から視認できる表示モードは、第１の表示部１０４の背景が黒表示（暗表示）となる表示モードである。当該表示モードでは、シャッター１１０の可動遮光層１１０ｂを遮光層１１０ａの開口部１１０ｃに重畳させているので、第２の支持体１０２側からの光は開口部１１０ｃにおいて遮光される。よって、第１の表示部１０４側から視認できる光は第１の表示部１０４の発光だけになる。このとき、第１の表示部１０４において非発光状態の画素からはほとんど光が射出されないので非発光状態の画素は黒表示となる。
【００７２】
なお、本明細書等において、黒表示とは、画素と重畳するシャッター１１０が閉まっている状態における非発光状態の画素の表示を示すものとする。よって、黒表示という記載は当該画素から射出される光が全くないということを指すものではない。例えば、シャッター１１０の可動遮光層１１０ｂに金属膜などの反射性を有する膜を用いた場合、可動遮光層１１０ｂに反射した光が画素からわずかに射出されることもあるが、このような場合も黒表示というものとする。
【００７３】
なお、図２（Ａ）に示す表示モードでは、第２の表示部１０８は散乱状態としていてもよいし、透過状態としていてもよい。
【００７４】
図２（Ａ）に示す表示モードにおいては、開口部１１０ｃを可動遮光層１１０ｂによって遮光するので、第１の表示部１０４の映像を第２の支持体１０２側から覗かれたり、第１の表示部の映像に第２の支持体１０２側の景色が写り込んだりすることを防ぐことができる。さらに、開口部１１０ｃを可動遮光層１１０ｂによって遮光することにより、第２の支持体１０２側から非発光状態の画素に余計な光が入射することをふせぐことができるので、非発光状態の画素でコントラストの良好な黒色を発色することができる。
【００７５】
図２（Ｂ）に示す第１の表示部１０４側から視認できる表示モードは、第１の表示部１０４の背景が白表示（明表示）となる表示モードである。当該表示モードでは、シャッター１１０の可動遮光層１１０ｂを遮光層１１０ａの開口部１１０ｃに重畳させず、第２の表示部１０８を散乱状態としているので、第２の表示部１０８の散乱光が開口部１１０ｃを通って第１の支持体１００側に射出される。よって、第１の表示部１０４側から視認できる光は第１の表示部１０４の発光と第２の表示部１０８の散乱光となる。このとき、第１の表示部１０４において非発光状態の画素から射出される光はほとんど第２の表示部１０８の散乱光となるので非発光状態の画素は白表示となる。また、第２の支持体側に向かう第１の表示部１０４の発光は、開口部１１０ｃを通って第２の表示部１０８に入射すると散乱されてしまう。
【００７６】
なお、本明細書等において、白表示とは、画素と重畳するシャッター１１０が開いており、且つ第２の表示部１０８が散乱状態における非発光状態の画素の表示を示すものとする。
【００７７】
図２（Ｂ）に示す表示モードにおいては、第２の表示部１０８が散乱状態なので、第１の表示部１０４の映像を第２の支持体１０２側から覗かれたり、第１の表示部の映像に第２の支持体１０２側の景色が写り込んだりすることを防ぐことができる。さらに、第２の表示部１０８を散乱状態とすることにより、第１の表示部１０４を発光させることなく第１の表示部１０４側に白表示することができるので、低消費電力で白表示を行うことが可能となる。
【００７８】
図２（Ｃ）に示す第１の表示部１０４側から視認できる表示モードは、第１の表示部１０４の背景として第２の支持体１０２の反対側からの光も目に入る、いわゆるシースルー表示となる表示モードである。当該表示モードでは、シャッター１１０の可動遮光層１１０ｂを遮光層１１０ａの開口部１１０ｃに重畳させず、第２の表示部１０８を透過状態としているので、第２の支持体１０２の向こう側からの入射光が第２の表示部１０８および開口部１１０ｃを通って第１の支持体１００側に射出される。よって、第１の表示部１０４側から視認できる光は第１の表示部１０４の発光と第２の支持体１０２の向こう側からの入射光となる。このとき、第１の表示部１０４において非発光状態の画素から射出される光はほとんど第２の支持体１０２の向こう側からの入射光となるので非発光状態の画素はシースルー表示となる。なお、図２（Ｃ）に示す第２の表示部１０８は、図２（Ａ）および図２（Ｂ）の第２の表示部１０８とは異なり、透過状態なのでハッチングを変更して示している。
【００７９】
なお、本明細書等において、シースルー表示とは、画素と重畳するシャッター１１０が開いており、且つ第２の表示部１０８が透過状態における非発光状態の画素の表示を示すものとする。よって、シースルー表示という記載は第２の表示部１０８側から入射した光が、第１の表示部１０４側に１００％射出されることを指すものではない。例えば、第２の表示部１０８側から入射した光が遮光層１１０ａなどで吸収減衰されてとしても、シースルー表示というものとする。
【００８０】
また、図２（Ｃ）に示す表示モードにおいては、第２の表示部１０８側から第１の表示部１０４の表示を視認することもできる。
【００８１】
図２（Ｃ）に示す表示モードにおいては、第２の表示部１０８が透過状態なので、第１の表示部１０４の映像と第２の支持体１０２の向こう側の景色を同時に見ることができる。これにより、第２の支持体１０２の向こう側の対象に関する情報を第１の表示部１０４に表示しながら対象を見る、または第１の表示部１０４に映像を表示して第２の支持体１０２の向こう側の対象に装飾を施すことができる。
【００８２】
また、図２（Ｃ）に示す表示モードにおいて、さらに第１の表示部１０４の発光素子を非発光状態とすることを透過表示と呼ぶ。透過表示とすることにより、第２の支持体１０２側からの入射光を第１の支持体１００側に透過させ、第１の支持体１００側からの入射光を第２の支持体１０２側に透過させることができる。つまり、当該表示装置を窓ガラスなどのように用いることができる。なお、ここでいう透過表示とは、第１の表示部１０４または第２の表示部１０８側から入射した光が遮光層１１０ａなどで吸収減衰されてしまう場合も含むものとする。
【００８３】
これにより第１の表示部１０４を発光させないときには、当該表示装置を窓ガラスなどのように、透光性を有する板のような状態で待機させておくことができる。
【００８４】
また、図２（Ａ）乃至図２（Ｃ）に示す表示モードを第１の表示部１０４の画素ごとまたはＭＥＭＳ構造体部１０６ａのシャッター１１０ごとに使い分けることも可能である。例えば、図２（Ａ）に示す黒表示モードと図２（Ｃ）に示すシースルー表示モードを第１の表示部１０４の画素ごとに使い分けても良い。つまり、第１の表示部１０４において、発光表示または黒表示をしたい画素については当該画素に重畳するシャッター１１０を閉めておき、シースルー表示または透過表示をしたい画素については当該画素に重畳するシャッターを開いておくこともできる。これにより、第２の支持体１０２の向こう側の対象に関する情報を第１の表示部１０４に表示しながら対象を見る、または第１の表示部１０４に映像を表示して第２の支持体１０２の向こう側の対象に装飾を施す際に、第１の表示部１０４の必要な映像に対して、第２の支持体１０２の向こう側の景色が透けて写り込むことを防ぐことができる。
【００８５】
以上のようにシースルー機能を有する表示装置において、両面発光型の発光素子を含む画素を有する第１の表示部と、光散乱性の液晶層を有する第２表示部との間に、シャッター状の遮光手段を設けることにより、第１の表示部、第２の表示部およびシャッター状の遮光手段を切り替えるだけで容易に用途や状況に応じた多様な表示モードを可能とする表示装置を提供することができる。
【００８６】
以上、本実施の形態に示す構成などは、他の実施の形態に示す構成などと適宜組み合わせて用いることができる。
【００８７】
（実施の形態２）
本実施の形態では、実施の形態１に示すシースルー機能を有する表示装置とは異なる態様の表示装置について図４を用いて説明する。
【００８８】
図４に示す表示装置は、透光性を有する第１の支持体１００と、第１の支持体１００に設けられた発光素子を有する第１の表示部１０４と、第１の支持体１００に対向して設けられた透光性を有する第２の支持体１０２と、第２の支持体１０２の第１の表示部１０４とは反対側に設けられた、光散乱性の液晶層を有する第２の表示部１０８と、第１の表示部１０４と第２の支持体１０２の間に設けられた、ＭＥＭＳ構造体部１０６ａとＭＥＭＳ駆動素子部１０６ｂとを有する。ＭＥＭＳ構造体部１０６ａは、開口部１１０ｃが設けられた遮光層１１０ａと、開口部１１０ｃを遮光することができる可動遮光層１１０ｂとを含むシャッター１１０を有し、ＭＥＭＳ駆動素子部１０６ｂはシャッター１１０を駆動するトランジスタを有する。第１の支持体１００と第２の支持体１０２の間はシール材１１２によって封止される。
【００８９】
つまり、図２（Ａ）乃至図２（Ｃ）に示す表示装置と図４に示す表示装置の相違点は、第２の表示部１０８が第１の支持体１００と第２の支持体１０２との間に設けられているか否かという点である。その他の構成については、図２（Ａ）乃至図２（Ｃ）に示す表示装置と同様なので詳細についてはそちらを参酌することができる。
【００９０】
本実施の形態において、第２の表示部１０８は第１の支持体１００、第２の支持体１０２およびシール材１１２で封止された領域の外側に設けられるので、酸素、水素、水分、二酸化炭素等が侵入しないように、第２の表示部１０８の上に保護膜を形成することが好ましい。保護膜としては、窒化シリコン膜、窒化酸化シリコン膜、ＤＬＣ（Ｄｉａｍｏｎｄ−Ｌｉｋｅ  Ｃａｒｂｏｎ）膜等を形成することができる。さらに外気に曝されないように気密性が高く、脱ガスの少ない保護フィルム（貼り合わせフィルム、紫外線硬化樹脂フィルム等）やカバー材でパッケージング（封入）することが好ましい。
【００９１】
なお、第２の表示部１０８の構造例の詳細については後の実施の形態に記載する。
【００９２】
なお、図４に示す表示装置の、第１の表示部１０４側から視認できる表示モードは、第１の表示部１０４の背景が黒表示（暗表示）となる表示モードとしているが、もちろんこれに限られるものではなく、実施の形態１と同様に、図２（Ａ）乃至図２（Ｃ）に示すような各種の表示モードを用いることができる。
【００９３】
また、図４に示す表示装置では、第２の表示部１０８を第１の支持体１００、第２の支持体１０２およびシール材１１２で封止された領域の外側に設けたが、本実施の形態はこれに限られるものではない。外気に曝されないように気密性が高く、脱ガスの少ない保護フィルムやカバー材で封入できるならば、第１の表示部１０４を当該領域の外に設けても良い。その場合、図２（Ａ）乃至図２（Ｃ）に示す構成において、第１の表示部１０４を第１の支持体１００の第２の表示部１０８とは反対側に設け、ＭＥＭＳ構造体部１０６ａおよびＭＥＭＳ駆動素子部１０６ｂを第２の表示部１０８と第１の支持体１００の間に設けるような構成となる。
【００９４】
以上、本実施の形態に示す構成などは、他の実施の形態に示す構成などと適宜組み合わせて用いることができる。
【００９５】
（実施の形態３）
本実施の形態では、実施の形態１に示すシースルー機能を有する表示装置とは異なる態様の表示装置について図５を用いて説明する。
【００９６】
図５（Ａ）および図５（Ｂ）は、それぞれ開示する発明の一態様に係る表示装置の断面図である。図５（Ａ）は両面表示の表示モードを、図５（Ｂ）は第１の表示部１０４をバックライトとして用いる表示モードを示している。
【００９７】
まず、図５（Ａ）および図５（Ｂ）に示される表示装置の構成について説明する。図５（Ａ）および図５（Ｂ）に示される表示装置は、透光性を有する第１の支持体１００と、第１の支持体１００に設けられた発光素子を有する第１の表示部１０４と、第１の支持体１００に対向して設けられた透光性を有する第２の支持体１０２と、第２の支持体１０２に第１の表示部１０４と対向して設けられた、光散乱性の液晶層を有する第２の表示部２０８と、第１の表示部１０４と第２の表示部２０８の間に設けられた、ＭＥＭＳ構造体部１０６ａとＭＥＭＳ駆動素子部１０６ｂとを有する。ＭＥＭＳ構造体部１０６ａは、開口部１１０ｃが設けられた遮光層１１０ａと、開口部１１０ｃを遮光することができる可動遮光層１１０ｂとを含むシャッター１１０を有し、ＭＥＭＳ駆動素子部１０６ｂはシャッター１１０を駆動するトランジスタを有する。第１の表示部１０４は複数の第１の画素を有し、第２の表示部２０８は複数の第２の画素を有し、第１の画素および第２の画素の少なくとも一部は遮光層１１０ａの開口部１１０ｃと重畳する。第１の支持体１００と第２の支持体１０２の間はシール材１１２によって封止される。
【００９８】
つまり、図５（Ａ）および図５（Ｂ）に示す表示装置は、第２の表示部２０８に複数の第２の画素が設けられている点において、図２（Ａ）乃至図２（Ｃ）に示す表示装置と異なる。その他の構成については、図２（Ａ）乃至図２（Ｃ）に示す表示装置と同様なので詳細についてはそちらを参酌することができる。
【００９９】
実施の形態１に示す第２の表示部１０８と異なり、本実施の形態において第２の表示部２０８は、光散乱性を有する液晶層の上面および下面に設けられる透光性を有する導電膜の一方を分割して画素電極として、第２の表示部２０８に複数の画素を設ける構成とする。第２の表示部２０８は、パッシブマトリクス型としてもよいし、ＴＦＴなどのトランジスタによって液晶素子の駆動が制御されるアクティブマトリクス型としてもよい。いずれの場合においても、各画素に電気的に接続される配線を格子状に設ける必要がある。第２の表示部の配線として用いる導電膜としては、先の実施の形態において、第１の表示部の配線として用いた導電膜を用いることができるので、詳細についてはそちらを参酌することができる。また、第２の表示部２０８をアクティブマトリクス型とする場合、トランジスタも透光性を有する材料で形成されることが好ましく、実施の形態１に示す第１の表示部１０４と同様のものを用いることができる。
【０１００】
次に図５（Ａ）および図５（Ｂ）に示す表示モードについて説明する。なお、本実施の形態に示す表示装置においても、実施の形態１と同様に図２（Ａ）乃至図２（Ｃ）に示す表示モードはもちろん可能である。
【０１０１】
図５（Ａ）に示す表示モードは、第１の支持体１００側からは第１の表示部１０４の映像を視認することができ、第２の支持体１０２側からは第２の表示部２０８の映像を視認することができる、両面表示の表示モードである。当該表示モードでは、シャッター１１０の可動遮光層１１０ｂを遮光層１１０ａの開口部１１０ｃに重畳させているので、第１の支持体１００側からの光も第２の支持体１０２側からの光もシャッター１１０において遮光される。よって、第１の支持体１００側から視認できる映像は第１の表示部１０４の映像だけとなり、第２の支持体１０２側から視認できる映像は第２の表示部２０８の映像だけとなる。つまり、図５（Ａ）に示す表示モードでは、一つの表示装置の両面に異なる映像を表示させることができる。
【０１０２】
また、図５（Ｂ）に示す表示モードでは、第１の表示部１０４を第２の表示部２０８のバックライトとして用いる表示モードである。当該表示モードでは、シャッター１１０の可動遮光層１１０ｂを遮光層１１０ａの開口部１１０ｃに重畳させず、第１の表示部１０４を発光状態としているので、第１の表示部１０４の発光が開口部１１０ｃを通って、第２の表示部２０８に入射する。よって、第１の表示部１０４において、赤（Ｒ）色を呈色する発光素子、緑（Ｇ）色を呈色する発光素子、青（Ｂ）色を呈色する発光素子を設けることにより、第２の表示部２０８に着色層を用いることなくフルカラー表示を行うことが可能となる。例えば、ＲＧＢの３色の発光素子を順次点灯させ、色を切り替えてフルカラー表示をするフィールドシーケンシャル方式を用いることもできる。
【０１０３】
以上のようにシースルー機能を有する表示装置において、両面発光型の発光素子を含む第１の画素を有する第１の表示部と、光散乱性の液晶層から成る第２の画素を有する第２表示部との間に、シャッター状の遮光手段を設けることにより、第１の表示部、第２の表示部およびシャッター状の遮光手段を切り替えるだけで容易に用途や状況に応じた多様な表示モードを可能とする表示装置を提供することができる。
【０１０４】
以上、本実施の形態に示す構成などは、他の実施の形態に示す構成などと適宜組み合わせて用いることができる。
【０１０５】
（実施の形態４）
本実施の形態では、先の実施の形態に示すシースルー機能を有する表示装置に設けられたシャッターの構造例について図６を用いて説明する。
【０１０６】
図６は、シャッター３００の斜視図である。シャッター３００は、アクチュエータ３１１に結合された可動遮光層３０２を有する。アクチュエータ３１１は開口部３０４を有する遮光層（図面が煩雑となるため図示せず）上に設けられており、２つの柔軟性を有するアクチュエータ３１５を有する。可動遮光層３０２の一方の辺は、アクチュエータ３１５に接続されている。アクチュエータ３１５は、可動遮光層３０２を、開口部３０４を有する遮光層表面に平行な横方向に移動させる機能を有する。なお、シャッター３００は先の実施の形態に示すシャッター１１０に対応し、開口部３０４を有する遮光層は先の実施の形態に示す遮光層１１０ａに対応し、開口部３０４は先に実施の形態に示す開口部１１０ｃに対応し、可動遮光層３０２は先の実施の形態に示す可動遮光層１１０ｂに対応する。
【０１０７】
アクチュエータ３１５は、可動遮光層３０２及び構造体３１９に接続する可動電極３２１と、構造体３２３に接続する可動電極３２５とを有する。可動電極３２５は、可動電極３２１に隣接しており、可動電極３２５の一端は構造体３２３に接続し、他端は自由に動くことができる。また、可動電極３２５の自由に動くことが可能な端部は、可動電極３２１及び構造体３１９の接続部で最も近くなるように、湾曲している。
【０１０８】
可動遮光層３０２の他方の辺は、アクチュエータ３１１によって及ぼされた力に対抗する復元力を有するスプリング３１７に接続されている。スプリング３１７は構造体３２７に接続されている。
【０１０９】
構造体３１９、構造体３２３、構造体３２７は、開口部３０４を有する遮光層の表面の近傍において、可動遮光層３０２、アクチュエータ３１５、及びスプリング３１７を、浮遊させる機械的支持体として機能する。
【０１１０】
可動遮光層３０２の下方には、遮光層で囲まれる開口部３０４が設けられる。なお、本実施の形態において、可動遮光層３０２および開口部３０４の形状は図３（Ｂ−１）および図３（Ｂ−２）に示すものを用いているが、これに限られるものではなく、先の実施の形態で示した他の形状のものを用いてももちろんよい。
【０１１１】
シャッター３００に含まれる構造体３２３は、図示しないトランジスタと接続する。当該トランジスタは、先の実施の形態においてＭＥＭＳ駆動素子部１０６ｂに設けられていた、可動遮光層を駆動するためのトランジスタである。これにより、構造体３２３に接続される可動電極３２５に、トランジスタを介して任意の電圧を印加することができる。また、構造体３１９、構造体３２７は、それぞれ接地電極（ＧＮＤ）と接続する。このため、構造体３１９に接続する可動電極３２１及び構造体３２７に接続するスプリング３１７の電位は、ＧＮＤとなっている。なお、構造体３１９、構造体３２７は、任意の電圧を印加できる共通電極に電気的に接続されてもよい。
【０１１２】
可動電極３２５に電圧が印加されると、可動電極３２５と可動電極３２１との間の電位差により、可動電極３２１及び可動電極３２５が電気的に引き寄せあう。この結果、可動電極３２１に接続する可動遮光層３０２が、構造体３２３の方へ引きよせられ、構造体３２３の方へ横方向に移動する。可動電極３２１はスプリングとして働くため、可動電極３２１と可動電極３２５との間の電位差が除去されると、可動電極３２１は、可動電極３２１に蓄積された応力を解放しながら、可動遮光層３０２をその初期位置に押し戻す。なお、可動電極３２１が可動電極３２５に引き寄せられている状態で、開口部３０４が可動遮光層３０２に塞がれるように設定してもよいし、逆に開口部３０４上に可動遮光層３０２が重ならないように設定してもよい。
【０１１３】
シャッター３００の作製方法について、以下に説明する。開口部３０４を有する遮光層上にフォトリソグラフィ工程により所定の形状を有する犠牲層を形成する。犠牲層としては、ポリイミド、アクリル等の有機樹脂、酸化シリコン、窒化シリコン、酸化窒化シリコン、窒化酸化シリコン等の無機絶縁膜等で形成することができる。なお、本明細書などにおいて、酸化窒化シリコンとは、その組成として、窒素よりも酸素の含有量が多いものを指し、窒化酸化シリコンとは、その組成として、酸素よりも窒素の含有量が多いものを指すものとする。ここで、酸素および窒素の含有量は、ラザフォード後方散乱法（ＲＢＳ：Ｒｕｔｈｅｒｆｏｒｄ  Ｂａｃｋｓｃａｔｔｅｒｉｎｇ  Ｓｐｅｃｔｒｏｍｅｔｒｙ）または水素前方散乱法（ＨＦＳ：Ｈｙｄｒｏｇｅｎ  Ｆｏｒｗａｒｄ  ｓｃａｔｔｅｒｉｎｇ  Ｓｐｅｃｔｒｏｍｅｔｒｙ）を用いて測定するものとする。
【０１１４】
次に、犠牲層上に印刷法、スパッタリング法、蒸着法等により遮光性を有する材料を形成した後、選択的にエッチングをしてシャッター３００を形成する。遮光性を有する材料としては例えば、クロム、モリブデン、ニッケル、チタン、銅、タングステン、タンタル、ネオジム、アルミニウム、シリコンなどの金属、合金または酸化物などを用いることができる。または、インクジェット法によりシャッター３００を形成する。シャッター３００は、厚さ１００ｎｍ以上５μｍ以下で形成することが好ましい。
【０１１５】
次に、犠牲層を除去することで、空間において可動可能なシャッター３００を形成することができる。なお、この後、シャッター３００の表面を酸素プラズマ、熱酸化等で酸化し、酸化膜を形成することが好ましい。または、原子層蒸着法、ＣＶＤ法により、シャッター３００の表面に、アルミナ、酸化シリコン、窒化シリコン、酸化窒化シリコン、窒化酸化シリコン、ＤＬＣ（ダイヤモンドライクカーボン）等の絶縁膜を形成することが好ましい。当該絶縁膜をシャッター３００に設けることで、シャッター３００の経年劣化を低減することができる。
【０１１６】
以上のような構成のシャッター状の遮光手段を、先の実施の形態に示す、透光性を有する支持体に設けられた発光素子を有する第１の表示部と、透光性を有する支持体に設けられた光散乱性の液晶層を有する第２の表示部との間に設けることにより、容易に用途や状況に応じた多様な表示モードを可能とする表示装置を提供することができる。
【０１１７】
以上、本実施の形態に示す構成などは、他の実施の形態に示す構成などと適宜組み合わせて用いることができる。
【０１１８】
（実施の形態５）
本実施の形態では、先の実施の形態に示すシースルー機能を有する表示装置に設けられたアクティブマトリクス型の第１の表示部の構造例について図７（Ａ）および図７（Ｂ）を用いて説明する。
【０１１９】
図７（Ａ）はアクティブマトリクス型の第１の表示部に設けられた画素の一を示す平面図であり、本実施の形態に示す第１の表示部は当該画素がマトリクス状に配列している。図７（Ｂ）は図７（Ａ）における線Ａ−Ｂの断面図である。なお、図７（Ａ）において、図７（Ｂ）に示す構造の一部は、図面が煩雑となるので省略している。
【０１２０】
図７（Ａ）および図７（Ｂ）に示す第１の表示部は、トランジスタ４０１、トランジスタ４０２、発光素子４０３、容量素子４０４、ソース配線層４０５、ゲート配線層４０６、電源線４０７を含む。ここで、トランジスタ４０１、４０２はｎチャネル型薄膜トランジスタとする。
【０１２１】
トランジスタ４０１のソース電極またはドレイン電極の一方は、ソース配線層４０５と電気的に接続されており、ゲート電極はゲート配線層４０６と電気的に接続されており、ソース電極またはドレイン電極の他方は、容量素子４０４の電極の一方およびトランジスタ４０２のゲート電極と電気的に接続されている。また、トランジスタ４０２のソース電極またはドレイン電極の一方は電源線４０７と電気的に接続されており、ソース電極またはドレイン電極の他方は、発光素子４０３の第１の電極層４２０と電気的に接続される。また、容量素子４０４の電極の他方は電源線４０７と電気的に接続される。
【０１２２】
本実施の形態に示す第１の表示部は、第１の支持体４００上にトランジスタ４０１、トランジスタ４０２および容量素子４０４が設けられ、トランジスタ４０１およびトランジスタ４０２を覆うように絶縁層４１１と絶縁層４１３が設けられる。なお、第１の支持体４００は先の実施の形態に示す第１の支持体１００と同様のものである。
【０１２３】
トランジスタ４０１およびトランジスタ４０２は、先の実施の形態に示すトランジスタと同様のものを用いることができ、透光性を有する材料で形成することが好ましい。詳細については先の実施の形態を参酌することができる。なお、本実施の形態では、トランジスタ４０１およびトランジスタ４０２としてチャネルエッチ型のトランジスタを用いているが、これに限られるものではない。例えば、チャネル保護型としてもよいし、トップゲート型としてもよい。
【０１２４】
容量素子４０４は、トランジスタ４０１およびトランジスタ４０２のゲート電極と同じ層の導電膜と、当該トランジスタとのゲート絶縁膜と同じ層の絶縁膜と、当該トランジスタのソース電極またはドレイン電極と同じ層の導電膜を用いて形成することができる。
【０１２５】
なお、トランジスタ４０１、トランジスタ４０２および容量素子４０４と電気的に接続される、ソース配線層４０５、ゲート配線層４０６および電源線４０７は、先の実施の形態に示す第１の表示部の配線と同様のものを用いることができる。よって、詳細については先の実施の形態を参酌することができる。
【０１２６】
絶縁層４１１は、酸化シリコン、酸化窒化シリコン、窒化シリコン、窒化酸化シリコン、酸化アルミニウム、酸化窒化アルミニウムなどを用いて形成することができる。また、絶縁層４１３は、無機絶縁材料または有機絶縁材料を用いて形成することができる。なお、アクリル樹脂、ポリイミド、ベンゾシクロブテン樹脂、ポリアミド、エポキシ樹脂等の、耐熱性を有する有機絶縁材料を用いると、平坦化絶縁膜として好適である。また、上記有機絶縁材料の他に、低誘電率材料（ｌｏｗ−ｋ材料）、シロキサン系樹脂、ＰＳＧ（リンガラス）、ＢＰＳＧ（リンボロンガラス）等を用いることができる。なお、これらの材料で形成される絶縁膜を複数積層させることで、絶縁層を形成してもよい。
【０１２７】
また、絶縁層４１３上に設けられた第１の電極層４２０と、第１の電極層４２０上に設けられた電界発光層４２２と、電界発光層４２２を覆うように設けられた第２の電極層４２３により発光素子４０３が形成されている。
【０１２８】
本実施の形態では画素のトランジスタ４０２がｎ型であるので、画素電極層である第１の電極層４２０を陰極として用い、第２の電極層４２３を陽極として用いることが好ましい。第１の電極層４２０および第２の電極層４２３は先の実施の形態で示した透光性を有する導電材料を用いて形成することができる。よって、詳細については先の実施の形態を参酌することができる。
【０１２９】
また、電界発光層４２２は、単数の層で構成されていても、複数の層が積層されるように構成されていてもどちらでも良い。電界発光層が複数の層で構成される場合、例えば、陰極、電子注入層、電子輸送層、発光層、ホール輸送層、ホール注入層、陽極の順に積層する。なおこれらの層を全て設ける必要はない。
【０１３０】
また、第１の電極層４２０上に開口部を形成するように、隔壁４２１が設けられている。隔壁４２１は、当該開口部の側壁が連続した曲率を持って形成される傾斜面となるように形成されることが好ましい。
【０１３１】
隔壁４２１は、酸化シリコン、窒化シリコン、酸化窒化シリコン、酸化アルミニウム、窒化アルミニウム、酸化窒化アルミニウム、その他の無機絶縁性材料、又はアクリル酸、メタクリル酸及びこれらの誘導体、又はポリイミド、芳香族ポリアミド、ポリベンゾイミダゾールなどの耐熱性高分子、又はシロキサン樹脂を用いてもよい。また、ポリビニルアルコール、ポリビニルブチラールなどのビニル樹脂、エポキシ樹脂、フェノール樹脂、ノボラック樹脂、アクリル樹脂、メラミン樹脂、ウレタン樹脂等の樹脂材料を用いてもよい。
【０１３２】
また、発光素子４０３に酸素、水素、水分、二酸化炭素等が侵入しないように、第２の電極層４２３及び隔壁４２１上に保護膜４２４を形成してもよい。保護膜４２４としては、窒化シリコン膜、窒化酸化シリコン膜、ＤＬＣ膜等を形成することができる。
【０１３３】
以上、本実施の形態に示す構成などは、他の実施の形態に示す構成などと適宜組み合わせて用いることができる。
【０１３４】
（実施の形態６）
本実施の形態では、先の実施の形態に示すシースルー機能を有する表示装置に設けられたパッシブマトリクス型の第１の表示部の構造例について図８（Ａ）、図８（Ｂ）および図８（Ｃ）を用いて説明する。
【０１３５】
図８（Ａ）はパッシブマトリクス型の第１の表示部を示す平面図である。図８（Ｂ）は図８（Ａ）における線Ｃ−Ｄの断面図であり、図８（Ｃ）は図８（Ａ）における線Ｅ−Ｆの断面図である。なお、図８（Ａ）において、図８（Ｂ）および図８（Ｃ）に示す構造の一部は、図面が煩雑となるので省略している。
【０１３６】
図８（Ａ）乃至図８（Ｃ）に示す第１の表示部は、第１の支持体５００上に第１の方向（列方向）に延伸して設けられた第１の電極層５２０ａ乃至第１の電極層５２０ｃと、第１の電極層５２０ａ乃至第１の電極層５２０ｃ上に開口部を有するように設けられた隔壁５２１と、隔壁５２１上に第１の方向に垂直な第２の方向（行方向）に延伸して設けられた隔壁５２５と、第１の電極層５２０ａ乃至第１の電極層５２０ｃと隔壁５２１上に第２の方向に延伸して設けられた電界発光層５２２ａ乃至電界発光層５２２ｃと、電界発光層５２２ａ乃至電界発光層５２２ｃ上に第２の方向に延伸して設けられた第２の電極層５２３ａ乃至第２の電極層５２３ｃと、を含む。
【０１３７】
第１の電極層５２０ａ乃至第１の電極層５２０ｃと、第２の電極層５２３ａ乃至第２の電極層５２３ｃとが、隔壁５２１の開口部を介して電界発光層５２２ａ乃至電界発光層５２２ｃを挟持して交差する部分に発光素子５０３が形成され、第１の表示部の画素領域となる。
【０１３８】
第１の電極層５２０ａ乃至第１の電極層５２０ｃと、第２の電極層５２３ａ乃至第２の電極層５２３ｃの一方を陰極として用い、他方を陽極として用いる。第１の電極層５２０ａ乃至第１の電極層５２０ｃ、および第２の電極層５２３ａ乃至第２の電極層５２３ｃは先の実施の形態で示した透光性を有する導電材料を用いて形成することができる。よって、詳細については先の実施の形態を参酌することができる。ここで、第１の表示部をパッシブマトリクス型で形成すると、アクティブマトリクス型と比較して配線幅を広くとることができ、配線抵抗の低減を容易に図ることができるので、第１の電極層５２０ａ乃至第１の電極層５２０ｃ、および第２の電極層５２３ａ乃至第２の電極層５２３ｃに透光性を有する導電材料を用いて第１の表示部の開口率を向上させることが容易になる。
【０１３９】
また、電界発光層５２２ａ乃至電界発光層５２２ｃは、単数の層で構成されていても、複数の層が積層されるように構成されていてもどちらでも良い。電界発光層が複数の層で構成される場合、例えば、陰極、電子注入層、電子輸送層、発光層、ホール輸送層、ホール注入層、陽極の順に積層する。なおこれらの層を全て設ける必要はない。
【０１４０】
また、隔壁５２１は、当該開口部の側壁が連続した曲率を持って形成される傾斜面となるように形成されることが好ましい。
【０１４１】
隔壁５２５は隔壁５２１上に形成される、第２の電極層５２３ａ乃至第２の電極層５２３ｃを非連続に分断する機能を有する。隔壁５２５の側壁は、基板面に近くなるに伴って、一方の側壁と他方の側壁との間隔が狭くなっていくような傾斜を有する。つまり、隔壁５２５の短辺方向の断面は、台形状であり、底辺（隔壁５２１の面方向と同様の方向を向き、隔壁５２１と接する辺）の方が上辺（隔壁５２１の面方向と同様の方向を向き、隔壁５２１と接しない辺）よりも短い。隔壁５２５はいわゆる逆テーパー形状であるために、自己整合的に第２の電極層５２３ａ乃至第２の電極層５２３ｃは、隔壁５２５によって分断され、第１の電極層５２０ａ乃至第１の電極層５２０ｃ上に選択的に形成することができる。従ってエッチングにより形状を加工しなくても、隣接する発光素子間は分断されており発光素子間のショートなどの電気的不良を防止することができる。
【０１４２】
また、隔壁５２１および隔壁５２５は、先の実施の形態に示した隔壁４２１と同様の材料を用いることができる。よって、詳細については先の実施の形態を参酌することができる。
【０１４３】
また、発光素子５０３に酸素、水素、水分、二酸化炭素等が侵入しないように、第２の電極層５２３ａ乃至第２の電極層５２３ｃ、隔壁５２１および隔壁５２５上に保護膜５２４を形成してもよい。保護膜５２４としては、窒化シリコン膜、窒化酸化シリコン膜、ＤＬＣ膜等を形成することができる。
【０１４４】
以上、本実施の形態に示す構成などは、他の実施の形態に示す構成などと適宜組み合わせて用いることができる。
【０１４５】
（実施の形態７）
本実施の形態では、先の実施の形態に示すシースルー機能を有する表示装置に設けられたアクティブマトリクス型の第２の表示部の構造例について図９（Ａ）および図９（Ｂ）を用いて説明する。
【０１４６】
図９（Ａ）はアクティブマトリクス型の第２の表示部に設けられた画素の一を示す平面図であり、本実施の形態に示す第２の表示部は当該画素がマトリクス状に配列している。図９（Ｂ）は図９（Ａ）における線Ｇ−Ｈの断面図である。なお、図９（Ａ）において、図９（Ｂ）に示す構造の一部は、図面が煩雑となるので省略している。
【０１４７】
図９（Ａ）および図９（Ｂ）に示す第２の表示部は、トランジスタ６０１、容量配線層６０４、ソース配線層６０５、ゲート配線層６０６を含む。
【０１４８】
トランジスタ６０１のソース電極またはドレイン電極の一方は、ソース配線層６０５と電気的に接続されており、ゲート電極はゲート配線層６０６と電気的に接続されており、ソース電極またはドレイン電極の他方は、液晶素子６６０の第１の電極層６２０と電気的に接続される。
【０１４９】
本実施の形態に示す第２の表示部は、第２の支持体６０２上にトランジスタ６０１が設けられ、トランジスタ６０１を覆うように絶縁層６１１と絶縁層６１３が設けられる。なお、第２の支持体６０２は先の実施の形態に示す第２の支持体１０２と同様のものである。
【０１５０】
トランジスタ６０１は、先の実施の形態に示すトランジスタと同様のものを用いることができ、透光性を有する材料で形成することが好ましい。詳細については先の実施の形態を参酌することができる。なお、本実施の形態では、トランジスタ６０１としてチャネルエッチ型のトランジスタを用いているが、これに限られるものではない。例えば、チャネル保護型としてもよいし、トップゲート型としてもよい。
【０１５１】
容量配線層６０４は、トランジスタ６０１のゲート電極と同じ層の導電膜で設けられ、トランジスタ６０１のゲート絶縁膜と同じ層の絶縁膜を介して第１の電極層６２０と重畳して容量を形成する。
【０１５２】
なお、容量配線層６０４、ソース配線層６０５およびゲート配線層６０６は、先の実施の形態に示すソース配線層４０５、ゲート配線層４０６および電源線４０７と同様のものを用いることができる。よって、詳細については先の実施の形態を参酌することができる。
【０１５３】
また、絶縁層６１１および絶縁層６１３は、先の実施の形態に示す絶縁層４１１および絶縁層４１３と同様のものを用いることができる。よって、詳細については先の実施の形態を参酌することができる。
【０１５４】
絶縁層６１３上に設けられた第１の電極層６２０と、第１の電極層６２０上に設けられた液晶層６６２と、液晶層６６２上に設けられた第２の電極層６２３により液晶素子６６０が形成されている。
【０１５５】
画素電極として機能する第１の電極層６２０、および支持部６６６に設けられた共通電極として機能する第２の電極層６２３は、先の実施の形態で示した透光性を有する導電材料を用いて形成することができる。よって、詳細については先の実施の形態を参酌することができる。また支持部６６６は、第２の支持体６０２と同様のものを用いることができる。
【０１５６】
なお、先の実施の形態に示す、ＭＥＭＳ構造体部１０６ａおよびＭＥＭＳ駆動素子部１０６ｂは支持部６６６上に設けることができる。
【０１５７】
また、液晶層６６２は、液晶による光の散乱光を利用して白表示（明表示）を行う光散乱性の液晶層とする。光散乱性の液晶としては、例えば、高分子分散型液晶（ＰＤＬＣ、高分子分散液晶、ポリマー分散型液晶ともいう）又は高分子ネットワーク型液晶（ＰＮＬＣ）が挙げられる。これらを用いた液晶層は高分子ネットワークを形成する高分子層中に液晶粒が分散された構成となっている。
【０１５８】
また、液晶層６６２中に柱状または球状のスペーサを設けて液晶層６６２の厚さを制御しても良い。
【０１５９】
以上、本実施の形態に示す構成などは、他の実施の形態に示す構成などと適宜組み合わせて用いることができる。
【０１６０】
（実施の形態８）
本実施の形態では、先の実施の形態に示すシースルー機能を有する表示装置に設けられたパッシブマトリクス型の第２の表示部の構造例について図１０（Ａ）および図１０（Ｂ）を用いて説明する。
【０１６１】
図１０（Ａ）はパッシブマトリクス型の第２の表示部を示す平面図である。図１０（Ｂ）は図１０（Ａ）における線Ｉ−Ｊの断面図である。なお、図１０（Ａ）において、図１０（Ｂ）に示す構造の一部は、図面が煩雑となるので省略している。
【０１６２】
図１０（Ａ）および図１０（Ｂ）に示す第２の表示部は、第２の支持体７０２に第１の方向（列方向）に延伸して設けられた第１の電極層７２０ａ乃至第１の電極層７２０ｃと、支持部７６６に第１の方向に垂直な第２の方向（行方向）に延伸して設けられた第２の電極層７２３ａ乃至第２の電極層７２３ｃと、設けられた第１の電極層７２０ａ乃至第１の電極層７２０ｃと第２の電極層７２３ａ乃至第２の電極層７２３ｃとに挟持される液晶層７６２と、を含む。
【０１６３】
なお、第２の支持体７０２と支持部７６６は、先の実施の形態に示す第２の支持体６０２と支持部６６６と同様のものを用いることができる。
【０１６４】
なお、先の実施の形態に示す、ＭＥＭＳ構造体部１０６ａおよびＭＥＭＳ駆動素子部１０６ｂは支持部７６６上に設けることができる。
【０１６５】
第１の電極層７２０ａ乃至第１の電極層７２０ｃと、第２の電極層７２３ａ乃至第２の電極層７２３ｃとが、液晶層７６２を挟持して交差する部分に液晶素子７６０が形成され、第２の表示部の画素領域となる。
【０１６６】
第１の電極層７２０ａ乃至第１の電極層７２０ｃ、および第２の電極層７２３ａ乃至第２の電極層７２３ｃは先の実施の形態で示した透光性を有する導電材料を用いて形成することができる。よって、詳細については先の実施の形態を参酌することができる。ここで、第２の表示部をパッシブマトリクス型で形成すると、アクティブマトリクス型と比較して配線幅を広くとることができ、配線抵抗の低減を容易に図ることができるので、第１の電極層７２０ａ乃至第１の電極層７２０ｃ、および第２の電極層７２３ａ乃至第２の電極層７２３ｃに透光性を有する導電材料を用いて第２の表示部の開口率を向上させることが容易になる。
【０１６７】
また、液晶層７６２は、先の実施の形態に示す液晶層６６２と同様のものを用いることができる。また、液晶層７６２中に柱状または球状のスペーサを設けて液晶層７６２の厚さを制御しても良い。
【０１６８】
なお、第１の電極層７２０ａ乃至第１の電極層７２０ｃと、第２の電極層７２３ａ乃至第２の電極層７２３ｃを、それぞれ一枚の第１の電極層および第２の電極層とすることにより、実施の形態１に示した、画素を設けない構造の第２の表示部とすることができる。
【０１６９】
以上、本実施の形態に示す構成などは、他の実施の形態に示す構成などと適宜組み合わせて用いることができる。
【０１７０】
（実施の形態９）
本実施の形態では、先の実施の形態で説明した表示装置の応用例について図１１を用いて説明する。
【０１７１】
図１１（Ａ）は、自動車のフロントガラスに先の実施の形態に示す表示装置を用いた例である。図１１（Ａ）では、第１の表示部を車内側に向けて表示装置１１００を設けている。表示装置１１００は、図２（Ｃ）に示すシースルー表示モードで用いられており、第１の表示部の発光素子による映像１１１０と、表示装置１１００の向こう側からの透過像１１２０とが表示されている。ここで、透過像１１２０は車外の人影を示し、映像１１１０は当該人影に対する警告のマークを表している。このように、開示する発明に係る表示装置を用いることにより、表示装置の向こう側の対象に関する情報を表示させながら対象を見ることができる。
【０１７２】
また、透過像１１２０と映像１１１０が重畳して、映像１１１０が視認しにくい場合などは、映像１１１０の部分だけを図２（Ａ）に示す黒表示モードとすることもできる。これにより、映像１１１０の後ろから透過像１１２０が透けなくなるので、映像１１１０を明確に視認することができる。
【０１７３】
なお、表示装置１１００は必ずしもフロントガラス全体に用いる必要はなく、映像１１１０を表示したい部分にのみ表示装置１１００を形成し、他の部分は従来のフロントガラスと同様のガラスを用いることも可能である。
【０１７４】
図１１（Ｂ）は、窓ガラスに先の実施の形態に示す表示装置を用いた例である。図１１（Ｂ）では、第１の表示部を室内側に向けて表示装置１２００を設けている。表示装置１２００は、図２（Ａ）に示す黒表示モードまたは図２（Ｂ）に示す白表示モードで用いられており、第１の表示部の発光素子による映像１２１０が表示されている。ここで、映像１２１０は例えばテレビ番組の映像などである。
【０１７５】
また、表示装置１２００に映像１２１０を映さない場合には、表示装置１２００を先の実施の形態に示す透過表示とすることにより、表示装置１２００を従来の窓ガラスのように扱うことができる。このように、表示装置１２００の表示モードを切り替えることにより、表示装置１２００をテレビやディスプレイのように扱うこともできるし、窓ガラスのように扱うこともできる。
【０１７６】
また、図５（Ａ）に示すような両面表示の表示モードを用いることにより、室内と室外で異なる映像を映すこともできる。
【０１７７】
なお、表示装置１２００は必ずしも窓ガラス全体に用いる必要はなく、映像１２１０を表示したい部分にのみ表示装置１２００を形成し、他の部分は従来の窓ガラスと同様のガラスを用いることも可能である。
【０１７８】
図１１（Ｃ）は、ショーウインドウのケースに先の実施の形態に示す表示装置を用いた例である。図１１（Ｃ）では、第１の表示部をケースの外側に向けて表示装置１３００を設けている。表示装置１３００は、図２（Ｃ）に示すシースルー表示モードで用いられており、第１の表示部の発光素子による映像１３１０と、表示装置１３００の内側の被装飾体１３２０とが表示されている。ここで、被装飾体１３２０はショーウインドウに飾られているバッグであり、映像１３１０は当該バッグを飾るリボンの映像である。このように、開示する発明に係る表示装置を用いることにより、表示装置の向こう側の対象を映像で装飾を施して見ることができる。
【０１７９】
また、映像１３１０の部分だけを図２（Ａ）に示す黒表示モードとすることにより、映像１３１０の後ろから被装飾体１３２０が透けて見えるのを防ぐことができるので、映像１３１０による装飾にリアリティを持たせることができる。
【０１８０】
なお、表示装置１３００は必ずしもショーウインドウのケース全体に用いる必要はなく、映像１３１０を表示したい部分にのみ表示装置１３００を形成し、他の部分は従来のショーウインドウと同様のケースを用いることも可能である。
【０１８１】
以上、本実施の形態に示す構成などは、他の実施の形態に示す構成などと適宜組み合わせて用いることができる。
【符号の説明】
【０１８２】
１０    遮光手段
１４    第１の表示部
１８    第２の表示部
１００    第１の支持体
１０２    第２の支持体
１０４    第１の表示部
１０８    第２の表示部
１１０    シャッター
１１２    シール材
２０８    第２の表示部
３００    シャッター
３０２    可動遮光層
３０４    開口部
３１１    アクチュエータ
３１５    アクチュエータ
３１７    スプリング
３１９    構造体
３２１    可動電極
３２３    構造体
３２５    可動電極
３２７    構造体
４００    第１の支持体
４０１    トランジスタ
４０２    トランジスタ
４０３    発光素子
４０４    容量素子
４０５    ソース配線層
４０６    ゲート配線層
４０７    電源線
４１１    絶縁層
４１３    絶縁層
４２０    電極層
４２１    隔壁
４２２    電界発光層
４２３    電極層
４２４    保護膜
５００    第１の支持体
５０３    発光素子
５２１    隔壁
５２２    電界発光層
５２３    電極層
５２４    保護膜
５２５    隔壁
６０１    トランジスタ
６０２    第２の支持体
６０４    容量配線層
６０５    ソース配線層
６０６    ゲート配線層
６１１    絶縁層
６１３    絶縁層
６２０    電極層
６２３    電極層
６６０    液晶素子
６６２    液晶層
６６６    支持部
７０２    第２の支持体
７６０    液晶素子
７６２    液晶層
７６６    支持部
１１００    表示装置
１１１０    映像
１１２０    透過像
１２００    表示装置
１２１０    映像
１３００    表示装置
１３１０    映像
１３２０    被装飾体
１０６ａ    ＭＥＭＳ構造体部
１０６ｂ    ＭＥＭＳ駆動素子部
１１０ａ    遮光層
１１０ｂ    可動遮光層
１１０ｃ    開口部
５２０ａ    電極層
５２０ｃ    電極層
５２２ａ    電界発光層
５２２ｃ    電界発光層
５２３ａ    電極層
５２３ｃ    電極層
６０１６    トランジスタ
７２０ａ    電極層
７２０ｃ    電極層
７２３ａ    電極層
７２３ｃ    電極層
【図１】
0005948058.tif 000002
【図２】
0005948058.tif 000003
【図３】
0005948058.tif 000004
【図４】
0005948058.tif 000005
【図５】
0005948058.tif 000006
【図６】
0005948058.tif 000007
【図７】
0005948058.tif 000008
【図８】
0005948058.tif 000009
【図９】
0005948058.tif 000010
【図１０】
0005948058.tif 000011
【図１１】
0005948058.tif 000012